(57)【要約】      （修正有）【課題】低価格で量産可能であり、耐久性が高く、かつ、高音質を発することのできる箏爪を提供する。【解決手段】外形が矩形、台形、楕円形、涙滴形もしくはこれらの組み合わせであり、一端３ａが箏の奏者の指先に嵌め込まれる爪輪５の周方向に形成された隙間５ａに接着剤で固定され、残りの部分３ｂで箏の弦を弾くための箏爪３，３−１，３−２において、材質がファインセラミックからなる。【選択図】図４
0003191858.tif 000002
【実用新案登録請求の範囲】
【請求項１】
外形が矩形、台形、楕円形、涙滴形もしくはこれらの組み合わせであり、一端が箏の奏者の指先に嵌め込まれる爪輪の周方向に形成された隙間に接着剤で固定され、残りの部分で前記箏の弦を弾くための箏爪において、材質がファインセラミックからなることを特徴とする箏爪。
【請求項２】
前記一端に接着性を向上させるための処理が施されていることを特徴とする請求項１記載の箏爪。
【請求項３】
前記外形が矩形、もしくは台形の場合前記弦と接触する側の角部にＲが形成されていることを特徴とする請求項１記載の箏爪。
【請求項４】
前記ファインセラミックはジルコニア又はアルミナであることを特徴とする請求項２に記載の箏爪。
【請求項５】
前記外形が矩形の（公序良俗違反につき、不掲載）又は涙的形の（公序良俗違反につき、不掲載）の箏爪であって象牙製のものと略同サイズであることを特徴とする請求項１から４のいずれか１項に記載の箏爪。
【考案の詳細な説明】
【技術分野】
【０００１】
本考案は、箏（琴）の演奏に用いられる箏爪に関する。
【背景技術】
【０００２】
箏１の演奏においては、図１に示すように奏者２が箏爪３を用いて弦１ａを弾くことが知られている。図２、図３に示すように箏爪３ｂｆ、３ｆｆ、３ｍｆのうち、親指用の箏爪３ｂｆは奏者２の右手の親指２ｂｆに後述する爪輪を用いて装着され、爪輪を用いて人差し指用の箏爪３ｆｆは人差し指２ｆｆに爪輪を用いて装着され、中指用の箏爪３ｍｆは中指２ｍｆに装着される。箏爪３（３ｂｆ、３ｆｆ、３ｍｆ）は、指２ｂｆ、２ｆｆ、２ｍｆと弦１ａとの間に位置するように爪輪を用いて装着される。
【０００３】  ここで、演奏の際、箏爪３に依存して音質が変化することが知られている。（例えば、特許文献１を参照。）  音質は、（公序良俗違反につき、不掲載）等の名称で呼ばれる箏爪の形状に依存し、また、特許文献１に示されたように箏爪の厚さにも依存する。そして、箏爪の材質にも依存することが知られている。  箏爪の材質については、実際、象牙製の箏爪と、プラスチック製の箏爪が広く用いられているが、象牙製の箏爪による音質が好まれている。「音の余韻がある」、「音色が良い」といったことが言われている。【０００４】
しかし、象牙製の箏爪は、その生産について、以下の問題があった。象牙の入手が困難であり、生産コスト及び販売価格が大きなものとなってしまう。また、量産することが不可能である。ワシントン条約による取引の制限を考慮すれば、将来的にはこの問題は拡大すると考えられる。
【０００５】
また、象牙製及びプラスチック製の箏爪の双方に、耐久性の問題があった。象牙及びプラスチックは共にモース硬度が３以下であり、弦との間の摩擦によって磨耗してしまい長期にわたる使用ができない。特に、箏爪への負担が大きい現代箏曲において、この問題が顕著となる。このことは、奏者にとっての費用負担が増すことを意味する。特に、高価格の象牙製の箏爪において顕著である。
【０００６】
以上のとおり、低価格で量産可能であり、耐久性が高く、かつ、高音質を発することのできる箏爪は、知られていなかった。
このような問題点の解決を図った例として、特許文献１がある。
【先行技術文献】
【特許文献】
【０００７】
【特許文献１】特開平１−２７４１９６号公報
【考案の概要】
【考案が解決しようとする課題】
【０００８】
しかしながら、特許文献１に記載の発明は、価格、量産性、耐久性、及び音質の面で改善の余地がある。
そこで、本考案の解決しようとする課題は、低価格で量産可能であり、耐久性が高く、かつ、高音質を発することのできる箏爪を提供することである。
【０００９】
本考案は、上記課題に鑑みてなされたもので、低価格で量産可能であり、耐久性が高く、かつ、高音質を発することのできる箏爪の提供を目的とする。
【課題を解決するための手段】
【００１０】
かかる目的を達成するために、本考案にかかる箏爪は、外形が矩形、台形、楕円形、涙滴形もしくはこれらの組み合わせであり、一端が箏の奏者の指先に嵌め込まれる爪輪の周方向に形成された隙間に接着剤で固定され、残りの部分で前記箏の弦を弾くための箏爪において、材質がファインセラミックからなることを特徴とする。
【００１１】
箏爪は、ファインセラミック製の箏爪により課題を解決するものである。ファインセラミックは、象牙と比較すれば、明らかに低価格で量産可能である。また、モース硬度が５以上であり耐久性が高い。
ここで「ファインセラミック」とは、金属酸化物を高温の熱処理で焼き固めた焼結体、を言う。例えば、ジルコニア（二酸化ジルコニウムの焼結体）やアルミナ（酸化アルミニウムの焼結体）がファインセラミックに含まれる。
【００１２】
本考案に係る箏爪は、上記構成に加え、前記一端に接着性を向上させるための処理が施されていることを特徴とする。
接着性を向上させるための処理としては、凹部、凸部、凹凸部、溝、貫通孔、焼き放し工程、もしくはブラスト加工が挙げられる。
【００１３】
本考案に係る箏爪は、上記構成に加え、前記外形が矩形、もしくは台形の場合前記弦と接触する側の角部にＲが形成されていることを特徴とする。
弦と接触する側の角部にＲが形成されていることにより、演奏中に弦が切れるのを抑制することができる。
【００１４】
定量的な分析によるものでなく定性的な傾向ではあるが、大きな質量の（同形状であれば大きな比重の材質の）箏爪によって弦を弾くほうが、弦へのインパクトが強く音質が良いと考えられる。象牙の比重は２．０程度、プラスチックの比重は（プラスチックの種類に依存して変動するが）概ね２．０以下である。これに対し、比重が３．０以上であるファインセラミックは良い音質を生むと考えられる。ジルコニア及びアルミナは、比重が３．０以上である。
【００１５】
本考案に係る箏爪は、上記構成に加え、前記ファインセラミックはジルコニア又はアルミナであることを特徴とする。
【００１６】  本考案に係る箏爪は、上記構成に加え、前記外形が矩形の（公序良俗違反につき、不掲載）又は涙的形の（公序良俗違反につき、不掲載）の箏爪であって象牙製のものと略同サイズであることを特徴とする。【００１７】
象牙製のものと略同サイズであって、略同等の音質を生み出す。耐久性が高く、量産可能であって、経済性に優れた箏爪である。
【考案の効果】
【００１８】
本考案によれば、低価格で量産可能であり、耐久性が高く、かつ、高音質を発することのできる箏爪の提供が可能となる。
【図面の簡単な説明】
【００１９】
【図１】箏を演奏している状態の外観斜視図である。
【図２】箏爪を、爪輪を用いて指先に装着している状態の外観斜視図である。
【図３】図２に示した奏者の手の拡大図である。
【図４】（ａ）は、本考案の実施形態に係る箏爪及び爪輪の拡散分解斜視図であり、（ｂ）は、爪輪に箏爪を固定した状態を示す外観斜視図であり、（ｃ）は、箏爪を、爪輪を用いて親指に嵌め込んだ状態を示す図であり、（ｄ）は箏爪の変形例であり、（ｅ）は箏爪の他の変形例である。
【図５】象牙製、ファインセラミック製及びプラスチック製の箏爪の音の余韻を示す図である。
【図６】象牙製、ファインセラミック製及びプラスチック製の箏爪の音色を示す図である。
【考案を実施するための形態】
【００２０】  ＜構  成＞  図４（ａ）は、本考案の実施形態に係る箏爪及び爪輪の拡散分解斜視図である。  箏爪３は、箏１の奏者２の指先に嵌め込まれる輪５に固定されるようになっている。  箏爪３は、外形が矩形（公序良俗違反につき、不掲載）、台形、楕円形、涙滴形（公序良俗違反につき、不掲載）もしくはこれらの組み合わせであり、一端３ａが爪輪５の周方向に形成された隙間５ａに図示しない接着剤で固定され、残りの部分３ｂで箏１の弦１ａを弾くための部材である。箏爪３の原材料はファインセラミックからなる。  箏爪３の他端（弦１ａと接触する側）の角部にＲが形成されていてもよい。Ｒが形成されている場合には、演奏中に弦が切れることが抑制される。Ｒの大きさは例えば０．５ｍｍ〜２．５ｍｍが挙げられる。  箏爪３の一端３ａは、少なくとも一方の面に複数の凹部と複数の凸部とが形成されていてもよい。凹部の大きさとしては、例えば、内径０．１ｍｍ〜０．５ｍｍ程度、深さ０．１ｍｍ〜０．５ｍｍ程度が挙げられる。凸部の大きさとしては、例えば、外径０．１ｍｍ〜０．５ｍｍ程度、高さ０．１ｍｍ〜０．５ｍｍ程度が挙げられる。  これらの凹部及び凸部が形成されている場合、箏爪３の一端３ａと爪輪５の隙間５ａとの間の接着面が増加するので、接着剤の接着性が向上する。その結果、箏爪３の耐久性が向上する。
【００２１】
箏爪３の一端３ａの少なくとも一方の面に複数の凹部が形成されていてもよい。箏爪３の一端３ａの少なくとも一方の面に複数の凸部が形成されていてもよい。箏爪３の一端３ａに複数の貫通孔が形成されていてもよい。貫通孔の内径としては、例えば、０．５ｍｍ程度が挙げられる。箏爪３の一端３ａの少なくとも一方の面に長手方向に平行な複数の溝が形成されていてもよい。箏爪３の一端３ａの少なくとも一方の面に長手方向に直交する複数の溝が形成されていてもよい。箏爪３の一端３ａの少なくとも一方の面に複数の交差溝が形成されていてもよい。溝の幅としては、例えば０．１〜０．５ｍｍ程度、深さ０．１〜０．５ｍｍ程度が挙げられる。
箏爪３は、ファインセラミックの製造工程（原料調合・混合・粉砕→加圧成型→切削・孔開け→焼成→焼き放し→研削・研磨）のうちの焼き放し工程の後に輪に固定されない部分に鏡面仕上げが施されていてもよい。箏爪３の一端３ａの両面にサンドブラスト加工が施されていてもよい。
【００２２】
爪輪５は、例えば、和紙を巻き回して接着した積層輪の外周を革で被覆したものもしくは革そのものである。爪輪５のサイズ（内径）は、親指、人差し指、及び中指の外径に合うように形成される。
【００２３】
＜組み立て＞
爪輪５の和紙の層間にマイナスドライバ等の先端が薄くて細く平板状の工具を差し込んで隙間５ａを形成することが多い。箏爪３の一端３ａに接着剤（例えば木工用接着剤）を塗布し、爪輪５の周方向に形成された隙間５ａに挿入し、例えば洗濯ばさみ等で爪輪５ごと一端３ａを押圧し、接着剤の乾燥に必要な所定時間経過することにより図４（ｂ）に示すような箏爪３が得られる。
このようにして得られた箏爪３を箏１の奏者の指に図４（ｃ）に示すように嵌め込んで箏爪３の露出部３ｂで演奏する。
【００２４】
ここで、箏爪３の一端３ａに凹部、凸部、凹凸部、溝、貫通孔、焼き放し工程、もしくはブラスト加工が施されている場合には、箏爪３と爪輪５との間の接触面積が何も処理しない従来の場合に比べて増加する。この結果、接着性が向上し、箏爪３の耐久性が向上する。
【００２５】＜変形例１＞  図４（ｄ）は、箏爪３−１の外形が矩形の場合を示している。  ３−１は、形状が矩形の（公序良俗違反につき、不掲載）の箏爪であって象牙製のものと略同サイズである。このような箏爪３−１においても前述と同様の効果が得られる。
【００２６】＜変形例２＞  図４（ｅ）は、箏爪３−２の外形が涙的型の場合を示している。  ３−２は、形状が涙的形の（公序良俗違反につき、不掲載）の箏爪であって象牙製のものと略同サイズである。このような箏爪３−２においても前述と同様の効果が得られる。
【００２７】
＜音  質＞
ここで、ファインセラミックを用いた箏爪と象牙を用いた箏爪の音質に関する実験を行った結果を示す。
実験は、象牙製、ジルコニア製及びプラスチック製の、３つの箏爪によって同一の箏の同一の弦を弾いたときの音を録音し、各々の録音を分析して比較した。弦は、Ｃ３音（およそ１３１Ｈｚ）に調弦した。
【００２８】
図５は、象牙製、ファインセラミック製及びプラスチック製の箏爪の音の余韻を示す特性曲線図である。図５は、各々の箏爪によって弦を弾いたときの音の波形であり、上から順に（ｉ）が象牙製、（ｐ）がプラスチック製、（ｃ）がファインセラミック製の箏爪によって弦を弾いたときの音の波形である。
象牙製とプラスチック製の箏爪の音を比較する。プラスチック製の箏爪の音（ｐ）は時間に対し単調に減衰している。これに対し、象牙製の箏爪の音（ｉ）には一旦減衰してその後に増幅する「うねり」がある。この「うねり」が音の余韻として知覚される。カラオケにおけるエコーに類した効果を持つものだからである。
ファインセラミック製の箏爪の音について分析する。ファインセラミック製の箏爪の音（ｃ）は、その「うねり」が象牙製の箏爪の音（ｉ）と比較して、さらに大きい。すなわち、余韻については、プラスチック製の箏爪よりもはるかに大きく、かつ、象牙製の箏爪と比較しても大きいことがわかる。
【００２９】
図６は、象牙製、ファインセラミック製及びプラスチック製の箏爪の音色を示す特性曲線図である。図６は、各々の箏爪によって弦を弾いたときの音のスペクトラムであり、上から順に（ｉ）が象牙製、（ｐ）がプラスチック製、（ｃ）がファインセラミック製の箏爪によって弦を弾いたときの音のスペクトラムである。尚、スペクトラムは、録音された音に対するＤＦＴ（Digital Fourier Transformation：デジタルフーリエ変換）によって求めたものであり、ＤＦＴに起因して階段状になっているが、実際の周波数特性は滑らかなものである。
【００３０】
象牙製の箏爪とプラスチック製の箏爪の音とを比較する。象牙製の箏爪の音（ｉ）には、基準音成分１１、倍音成分１２、３倍音成分１３及び５倍音成分１５が見られる。３倍音成分１３は、Ｃ３音（１３１Ｈｚ）の３倍音（３９３Ｈｚ）が、ＤＦＴに当たってその１／２の周波数（１９６．５Ｈｚ）に現れたものである。５倍音成分１５は、Ｃ３音（１３１Ｈｚ）の５倍音（６５５Ｈｚ）が、ＤＦＴに当たってその１／４の周波数（１６３．７５Ｈｚ）に現れたものである。これに対し、プラスチック製の箏爪の音（ｐ）は、倍音成分１２ｐが大きく、３倍音成分１１ｐは見られるが５倍音成分は見られない。５倍音成分は、２オクターブ下げた（１／４の周波数）場合において基準音に対して長３度だけ上の音であり、基準音に合わせる和音として好まれているものである。すなわち、象牙製の箏爪の音は、プラスチック製の箏爪の音よりも良い音色であると知覚される。
【００３１】
ファインセラミック製の箏爪の音について分析する。ファインセラミック製の箏爪の音（ｃ）は、倍音成分１２ｃが基準音成分１１ｃよりも小さいこと、そして５倍音成分１５ｃを有することで、プラスチック製の箏爪の音（ｐ）よりも象牙製の箏爪の音（ｉ）に近い。すなわち、音色については、プラスチック製の箏爪よりも象牙製の箏爪に近いことがわかる。
【００３２】
以上のとおり、ファインセラミック製の箏爪は、プラスチック製の箏爪とは異なり、象牙製の箏爪に近い音を発することが実験によって検証された。尚、実験は１つの調弦において、各々１つの象牙製、ファインセラミック製及びプラスチック製の箏爪を用いたものであるが、他の調弦、他の箏爪についても同様の結果になると容易に推測できる。箏爪の材質の相違のみに基づく音質の相違であり、箏爪と弦との間の力学的関係のみに依存し、調弦に依存せず、また、箏爪の材質の硬度及び比重が近似していれば音質も近似しているためである。すなわち、個々の箏爪に依存する多少の差はあるものの、ファインセラミック製の箏爪による音質は、プラスチック製の箏爪よりも象牙製の箏爪による音質に近いものである。
このように低価格で量産可能であり、耐久性が高いファインセラミック製の箏爪によって象牙製の箏爪と同等の高音質を発することのできることが明らかになった。
【００３３】
尚、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組み合わせを含む様々なバリエーションが可能である。例えば、上述した実施の形態では、ファインセラミックが無孔質（アモルファス）もしくは非貫通形の多孔質の場合で説明したが、本考案はこれに限定されるものではなく、貫通形の多孔質であってもよく、この場合には、奏者の指先から汗が箏爪から排出されるので、蒸れるのを抑える効果が得られる。
したがって、上記実施形態の記載をもって、実用新案登録請求の範囲に記載された考案の内容を限定するものではない。
【符号の説明】
【００３４】
１    箏
１ａ    弦
２    奏者
２ｂｆ    親指
２ｍｆ    人差し指
２ｆｆ    中指
３、３−１、３−２、３ｂｆ、３ｆｆ、３ｍｆ    箏爪
３ａ    一端
３ｂ    露出部
５、５ｂｆ、５ｆｆ、５ｍｆ    爪輪
５ａ    隙間
１１    基準音成分
１２    倍音成分
１３    ３倍音成分
１５    ５倍音成分
【図１】
0003191858.tif 000003
【図２】
0003191858.tif 000004
【図３】
0003191858.tif 000005
【図４】
0003191858.tif 000006
【図５】
0003191858.tif 000007
【図６】
0003191858.tif 000008
【手続補正書】
【提出日】平成26年5月16日(2014.5.16)
【手続補正１】
【補正対象書類名】明細書
【補正対象項目名】０００３
【補正方法】変更
【補正の内容】
【０００３】
ここで、演奏の際、箏爪３に依存して音質が変化することが知られている。（例えば、特許文献１を参照。）
音質は、箏爪の形状に依存し、また、特許文献１に示されたように箏爪の厚さにも依存する。そして、箏爪の材質にも依存することが知られている。
箏爪の材質については、実際、象牙製の箏爪と、プラスチック製の箏爪が広く用いられているが、象牙製の箏爪による音質が好まれている。「音の余韻がある」、「音色が良い」といったことが言われている。
【手続補正２】
【補正対象書類名】明細書
【補正対象項目名】００１２
【補正方法】変更
【補正の内容】
【００１２】
本考案に係る箏爪は、上記構成に加え、前記一端に接着性を向上させるための凹部、凸部、凹凸部、溝、貫通孔、焼き放し工程、もしくはブラスト加工が施されていることを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００２０
【補正方法】変更
【補正の内容】
【００２０】
＜構  成＞
図４（ａ）は、本考案の実施形態に係る箏爪及び爪輪の拡散分解斜視図である。
箏爪３は、箏１の奏者２の指先に嵌め込まれる輪５に固定されるようになっている。
箏爪３は、外形が矩形、台形、楕円形、涙滴形もしくはこれらの組み合わせであり、一端３ａが爪輪５の周方向に形成された隙間５ａに図示しない接着剤で固定され、残りの部分３ｂで箏１の弦１ａを弾くための部材である。箏爪３の原材料はファインセラミックからなる。
箏爪３の他端（弦１ａと接触する側）の角部にＲが形成されていてもよい。Ｒが形成されている場合には、演奏中に弦が切れることが抑制される。Ｒの大きさは例えば０．５ｍｍ〜２．５ｍｍが挙げられる。
箏爪３の一端３ａは、少なくとも一方の面に複数の凹部と複数の凸部とが形成されていてもよい。凹部の大きさとしては、例えば、内径０．１ｍｍ〜０．５ｍｍ程度、深さ０．１ｍｍ〜０．５ｍｍ程度が挙げられる。凸部の大きさとしては、例えば、外径０．１ｍｍ〜０．５ｍｍ程度、高さ０．１ｍｍ〜０．５ｍｍ程度が挙げられる。
これらの凹部及び凸部が形成されている場合、箏爪３の一端３ａと爪輪５の隙間５ａとの間の接着面が増加するので、接着剤の接着性が向上する。その結果、箏爪３の耐久性が向上する。
【手続補正５】
【補正対象書類名】明細書
【補正対象項目名】００２５
【補正方法】変更
【補正の内容】
【００２５】
＜変形例１＞
図４（ｄ）は、箏爪３−１の外形が矩形の場合を示している。
３−１は、形状が矩形の箏爪であって象牙製のものと略同サイズである。このような箏爪３−１においても前述と同様の効果が得られる。
【手続補正６】
【補正対象書類名】明細書
【補正対象項目名】００２６
【補正方法】変更
【補正の内容】
【００２６】
＜変形例２＞
図４（ｅ）は、箏爪３−２の外形が涙滴型の場合を示している。
３−２は、形状が涙滴形の箏爪であって象牙製のものと略同サイズである。このような箏爪３−２においても前述と同様の効果が得られる。
【手続補正７】
【補正対象書類名】実用新案登録請求の範囲
【補正対象項目名】全文
【補正方法】変更
【補正の内容】
【実用新案登録請求の範囲】
【請求項１】
外形が矩形、台形、楕円形、涙滴形もしくはこれらの組み合わせであり、一端が箏の奏者の指先に嵌め込まれる爪輪の周方向に形成された隙間に接着剤で固定され、残りの部分で前記箏の弦を弾くための箏爪において、材質がファインセラミックからなることを特徴とする箏爪。
【請求項２】
前記一端に接着性を向上させるための凹部、凸部、凹凸部、溝、貫通孔、焼き放し工程、もしくはブラスト加工が施されていることを特徴とする請求項１記載の箏爪。
【請求項３】
前記外形が矩形、もしくは台形の場合前記弦と接触する側の角部にＲが形成されていることを特徴とする請求項１記載の箏爪。
【請求項４】
前記ファインセラミックはジルコニア又はアルミナであることを特徴とする請求項２に記載の箏爪。